(57)【特許請求の範囲】
【請求項１】
巻線を施す筒状の巻胴部を有し、前記巻胴部の内空部にその内空部の断面形状に合致する磁心の中足が挿着されるトランス用のボビンであって、
前記巻胴部の内空部の巻芯方向に垂直な断面の形状が卵形であり、前記巻胴部の肉厚が全周にわたり均一である
ことを特徴とするボビン。
【請求項２】
巻線を施す筒状の巻胴部の両端に鍔部を有し、これらの鍔部の一方に、前記巻胴部が間に介在するように２つの端子台を設けると共に、前記巻胴部の内空部にその内空部の断面形状に合致する磁心の中足が挿着されるボビンを有する縦型トランスであって、
前記ボビンとして請求項１に記載のボビンを有する
ことを特徴とするトランス。
【請求項３】
巻線を施す筒状の巻胴部の両端に鍔部を有し、これらの鍔部にそれぞれ端子台を設けてこれらの端子台により基板への取付け面を形成すると共に、前記巻胴部の内空部にその内空部の断面形状に合致する磁心の中足が挿着されるボビンを有する横型トランスであって、
前記ボビンとして請求項１に記載のボビンを有する
ことを特徴とするトランス。
【請求項４】
巻線を施す筒状の巻胴部を有し、前記巻胴部の内空部にその内空部の断面形状に合致する磁心の中足が挿着されるトランス用のボビンへの巻線方法であって、
前記ボビンの前記巻胴部の内空部の巻芯方向に垂直な断面の形状を卵形とし、かつ前記巻胴部の肉厚を全周にわたり均一とし、
前記ボビンに巻線を施す巻線機の巻軸の断面形状を前記内空部の断面形状に合致する形状とし、
前記巻軸に前記巻胴部の前記内空部を嵌合し、
前記ボビンの端子台の一次側端子または二次側端子に巻線をからげ、
前記巻軸を回転させることにより前記ボビンも回転させて前記巻胴部に巻線する
ことを特徴とするボビンへの巻線方法。
【発明の詳細な説明】
【技術分野】
【０００１】
本発明は、各種電子機器に使用される電源用トランス、信号用トランス非絶縁あるいは絶縁トランス等のトランスに用いられるボビンとトランスとボビンへの巻線方法に関する。
【背景技術】
【０００２】
事務機器や家電製品等に組み込まれるトランスに用いられるボビンとして、従来より、巻線を施す巻胴部を円形、角形、長円形等の形状に形成している。このような従来のボビンとして特許文献１〜４に記載のものがある。
【０００３】
【特許文献１】特開２０００−３２３３３３号公報
【特許文献２】実公平３−５３４６２号公報
【特許文献３】特表２００４−５１４２８２号公報
【特許文献４】実開平５−８７９１８号公報
【発明の開示】
【発明が解決しようとする課題】
【０００４】
従来のボビンの巻胴部の内空部および外周部の巻芯方向に垂直な断面の形状は円形、角形、長円形等であり、例えば角形の場合、ある辺に対して垂直をなす第一の中心線に対してその中心線により分割された両側の形状が対称形をなすと共に、前記第一の中心線に垂直な第二の中心線により分割された両側の形状も対称形をなす。円形や長円形の場合も互いに垂直な２本の中心線に対して対称をなす形状である。このため、巻線機のチャックの巻軸に一次側端子、二次側端子を有するトランス用ボビンを装着して巻線を施す場合、一次側端子、二次側端子の位置が分かりにくく、ボビンを巻軸の中心に対して１８０度反転させて装着する間違いが生じるおそれがある。また、ボビンの取付け方向の間違いから、一次側端子に二次側巻線をからげたり、二次側端子に一次側巻線をからげたりする間違いが生じ易くなる。
【０００５】
さらに、前記ボビンの方向が分かり難いため、捺印、測定、基板への装着等の工程において方向を間違えて作業を行なうおそれがある。
【０００６】
本発明は、上記問題点に鑑み、巻線作業等のコイル部品の製造工程においてボビンの装着方向の判別がしやすく、もって作業の効率が向上すると共に、歩留まりの向上が図れる構成のトランス用のボビンとそのボビンを用いたトランスとボビンへの巻線方法を提供することを目的とする。
【課題を解決するための手段】
【０００７】
本発明のボビンは、巻線を施す筒状の巻胴部を有し、前記巻胴部の内空部にその内空部の断面形状に合致する磁心の中足が挿着されるトランス用のボビンであって、
前記巻胴部の内空部の巻芯方向に垂直な断面の形状がほぼ卵形であり、かつ前記巻胴部の肉厚が全周にわたり均一である
ことを特徴とする。
【０００８】
また、本発明のトランスは、巻線を施す筒状の巻胴部の両端に鍔部を有し、これらの鍔部の一方に、前記巻胴部が間に介在するように２つの端子台を設けると共に、前記巻胴部の内空部にその内空部の断面形状に合致する磁心の中足が挿着されるボビンを有する縦型トランスであって、
前記ボビンとして請求項１に記載のボビンを有する
ことを特徴とする。
【０００９】
また、本発明のトランスは、巻線を施す筒状の巻胴部の両端に鍔部を有し、これらの鍔部にそれぞれ端子台を設けてこれらの端子台により基板への取付け面を形成すると共に、前記巻胴部の内空部にその内空部の断面形状に合致する磁心の中足が挿着されるボビンを有する横型トランスであって、
前記ボビンとして請求項１に記載のボビンを有する
ことを特徴とする。
【００１０】
本発明のボビンへの巻線方法は、巻線を施す筒状の巻胴部を有し、前記巻胴部の内空部にその内空部の断面形状に合致する磁心の中足が挿着されるトランス用のボビンへの巻線方法であって、
前記ボビンの前記巻胴部の内空部の巻芯方向に垂直な断面の形状を卵形とし、かつ前記巻胴部の肉厚を全周にわたり均一とし、
前記ボビンに巻線を施す巻線機の巻軸の断面形状を前記内空部の断面形状に合致する形状とし、
前記巻軸に前記巻胴部の前記内空部を嵌合し、
前記ボビンの端子台の一次側端子または二次側端子に巻線をからげ、
前記巻軸を回転させることにより前記ボビンも回転させて前記巻胴部に巻線する
ことを特徴とする。
【発明の効果】
【００１１】
本発明のボビンは、巻胴部の内空部の巻芯方向に垂直な断面の形状がほぼ卵形であり、かつ前記巻胴部の肉厚が全周にわたり均一であるように構成したので、巻線作業において、ボビンの回転方向の位置の判別が容易であり、巻線機の巻軸へのセットが容易となり、作業効率が向上する。
【００１２】
また、巻軸にボビンの内空部に合致する卵形の断面形状のものを用いることにより、ボビンの端子台の向きは巻軸の向きに合致しなければボビンのセットができないから、巻軸にボビンをセットする際にボビンの向きが自動的に決まり、セットの間違いの発生が回避できる。
【００１３】
また、巻軸の回転方向の初期設定位置が一定であるために端子台および一次側端子、二次側端子の回転方向の初期設定位置が自動的に一定となり、巻線端末をからげる対象の端子を間違うことも回避することができる。また同様の理由により、捺印、測定、基板への取付けにおいても作業ミスを回避することができる。そしてこれらのことから、トランスの製造における歩留まりを向上させることができる。
【発明を実施するための最良の形態】
【００１４】
図１、図２、図３はそれぞれ本発明のボビンの一実施の形態を示す正面図、側面図、背面図であり、図４は図３のＥ−Ｅ断面図である。この実施の形態はボビン１の巻線を施す巻胴部２の両端に形成された鍔部３、４のうち、一方の鍔部３にのみ一次側端子５および二次側端子６を取付ける端子台７、８を設けた縦型トランス用ボビンについて示している。
【００１５】
図４において、Ｏは巻胴部２の内空部の縦横の中心点を示す。ここで巻胴部２の内空部の巻芯に垂直方向の断面における端子台７、８の対向方向の中心線をＹ軸とし、前記断面における前記端子台の対向方向に垂直をなす方向の中心線をＸ軸とする。このとき、この実施の形態においては、前記断面の形状を、前記Ｘ軸により分割された内空部の一方の領域１０の断面と他方の領域１１の断面とが非対称形をなす形状に形成する。本実施の形態においては、この巻胴部２の内空部（外周部も同様）の断面形状をほぼ卵形に形成している。
【００１６】
図５は前記ボビンを用いて構成した縦型トランスの一例を示す正面図、図６はその側面図である。このトランスはフェライト製の２つのＥ型コア１２、１２を用いたものである。各コア１２は、それぞれ端面部１３と、その端面部１３の両端より突出して設けた一対の外足部１４、１４と、一対の外足部１４、１４の間に端面部１３より突出して設けた中足部１５とを有する。ここで、中足部１５は、前記巻胴部１の内空部の断面形状に合致する非対称形に形成する。
【００１７】
１６は前記巻胴部２に巻かれ、かつ外周にテープを巻いた巻線であり、一次巻線と二次巻線とが含まれる。このように巻胴部２に巻線１６を施したボビン１の巻胴部２に対し、一対のコア１２、１２の各中足部１５を挿入すると共に、外足部１４、１４は、一次側端子用端子台７と二次側端子用端子台８との間に嵌めてコア１２、１２をボビン１に組み合わせる。そして組み合わせたコア１２、１２の外周にテープ（図示せず）を貼り付けて固定するか、あるいは接着等により固定する。
【００１８】
図７は巻線機２０の巻軸２１に前記ボビン１をセットして巻線を施す作業状態を示す側面図、図８は図７のＦ−Ｆ断面図である。これらの図に示すように、巻軸２１はその断面形状がボビン１の巻胴部２の内空部に合致する形状に形成する。この巻線機２０を用いて巻線作業を行なう場合、予め回転方向の初期設定位置が決められている巻軸２１にボビン１の巻胴部２を嵌合し、一次側端子５または二次側端子６に巻線をからげ、巻軸２１を回転させて巻胴部２に巻線を施す。このような巻線工程は、トランスで巻線する本数分必要となる複数の工程である。この複数の巻線工程において、巻軸２１の回転方向の初期設定位置は同一に設定する場合と異ならせる場合とがある。
【００１９】
このような巻線作業を行なう場合、巻胴部２の外周部がＸ軸を挟んで非対称形をなすように卵形に形成したので、巻線作業において、ボビン１の回転方向の位置の目視による判別が容易である。このため巻軸２１へのボビン１のセットが容易となり、作業効率が向上する。
【００２０】
また、本発明のようにボビン１の巻胴部２の内空部および巻軸２１をＸ軸を挟んで非対称形となるように形成すれば、ボビン１の巻胴部２の向きは巻軸２１の向きに合致しなければボビンのセットができないから、巻軸２１にボビン１をセットする際にボビン１の向きが自動的に決まり、セットの間違いの発生が回避できる。
【００２１】
また、巻軸２１の回転方向の初期設定位置が一定であるため、端子台７、８および一次側端子５、二次側端子６の回転方向の初期設定位置が一定となるので、巻線端末をからげる対象端子を間違うことも回避できる。捺印、測定、基板への取付けにおいても同様に作業ミスを回避することができる。また、その結果、トランスの製造における歩留まりを向上させることができる。
【００２２】
なお、図４の実施の形態においては、巻胴部２の内空部は、そのＹ軸方向が広幅で、Ｘ軸方向を狭幅に設定しているが、このＸ軸、Ｙ軸方向の幅は等しいかあるいはＹ軸方向の幅が狭く、Ｘ幅方向が広い構造としてもよい。また、巻胴部２の内空部や外周部は、Ｘ軸により分割された２つの領域を非対称形とする卵形ではなく、Ｙ軸で分割された２つの領域を非対称形とする卵形にしてもよい。
【００２３】
図９は本発明の他の実施の形態であり、この実施の形態は、ほぼ卵形をなす巻胴部２ＦのＹ軸を巻胴部２Ｆの断面の長手方向に設定し、そのＹ軸を端子台７、８の対向方向に対して傾斜させて形成したものである。
【００２４】
図９に示した実施の形態によっても図１〜図８に示した実施の形態と同様の作用効果をあげることができる。
【００２５】
以上の実施の形態では巻胴部の肉厚を全周にわたってほぼ均一としている。
【００２６】
図１０は本発明のボビンの他の実施の形態を示す背面図、図１１はそのボビンの側面図である。このボビン２３は横型トランスに用いられるものである。このボビン２３は、巻胴部２４の両端の鍔部２５、２６にそれぞれ一次側端子台２７、二次側端子台２８を設け、これらにより不図示の基板への取付け面２９を形成したものである。
【００２７】
図１０において、Ｏは巻胴部２３の内空部の縦横の中心である。このボビン２３は、前記巻胴部２４の内空部の巻芯方向に垂直な断面について、前記断面における前記取付け面２９に垂直方向の中心線をＹ軸とする。また、前記断面における取付け面２９に平行な中心線をＸ軸とする。このとき、巻胴部２４の内空部の断面の形状を、Ｘ軸により分割された巻胴部２４の内空部の一方の領域３０の断面と他方の領域３１の断面とが非対称形をなす形状に形成する。本実施の形態は、巻胴部２４の内空部の断面形状を、取付け面に平行なＸ軸により分割された２つの領域のうちの下部が上部より広幅をなすほぼ卵形に形成している。
【００２８】
なお、図１０、図１１の実施の形態においても、巻胴部２４に巻線が巻かれ、また、Ｅ型コアの中足部が巻胴部２４内に挿入され、外足部が巻線の両側に位置するようにしてトランスが構成される。
【００２９】
図１０、図１１の横型トランスに係わる実施の形態においても、図１ないし図９に示した実施の形態と同様に、巻線、捺印、測定、基板への取付けの各作業工程における作業効率の向上、作業ミスの減少、歩留まりの向上の効果をあげることができる。
【図面の簡単な説明】
【００３０】
【図１】本発明によるボビンの一実施の形態を示す正面図である。
【図２】図１の側面図である。
【図３】図１の背面図である。
【図４】図３のＥ−Ｅ断面図である。
【図５】図１〜図３に示した実施の形態のボビンを用いたトランスの正面図である。
【図６】図５のトランスの側面図である。
【図７】本実施の形態のボビンへの巻線作業状態を示す側面図である。
【図８】図７のＦ−Ｆ断面図である。
【図９】本発明によるボビンの他の実施の形態を示す図４相当図である。
【図１０】本発明によるボビンの他の実施の形態を示す背面図である。
【図１１】図１０のボビンの側面図である。
【符号の説明】
【００３１】
１：ボビン、２、２Ｆ：巻胴部、３、４：鍔部、５：一次側端子、６：二次側端子、７、８：端子台、１０、１１：分割された内空部、１２：Ｅ型コア、１３：端面部、１４：外足部、１５：中足部、１６：巻線、２０：巻線機、２１：巻軸、２３：ボビン、２４：巻胴部、２５、２６：鍔部、２７：一次側端子台、２８：二次側端子台、２９：取付け面、３０、３１：分割された内空部、Ｏ：縦横の中心
【図１】
0003990420.tif 000002
【図２】
0003990420.tif 000003
【図３】
0003990420.tif 000004
【図４】
0003990420.tif 000005
【図５】
0003990420.tif 000006
【図６】
0003990420.tif 000007
【図７】
0003990420.tif 000008
【図８】
0003990420.tif 000009
【図９】
0003990420.tif 000010
【図１０】
0003990420.tif 000011
【図１１】
0003990420.tif 000012